(57)【特許請求の範囲】
【請求項１】
円筒状本体と、該本体の先端に螺着された針取付用口金と、本体の後端に固定された引きレバーと、円筒状本体のボア内にあってバネ付勢された芯出し管と、芯出し管を貫いて延び、先端にプランジャーヘッドを、後端に押しレバーを有するプランジャーと、を含み、円筒状本体が、注射液を封入したカートリッジをそのボアに差し込むための窓を備え、本体のボアの内径がカートリッジの外径よりも僅かに大きくなっていて、前記窓をとおして円筒状本体のボア内に装填されたカートリッジが口金と芯出し管との間に保持され、プランジャーヘッドでカートリッジのプランジャーゴムを押すようにした歯科用注射器において、前記芯出し管がプランジャーヘッドを受け入れる受け口を持ったカップを備え、カップの外円筒面が円筒状本体のボアの内面との接触を最小にするために中高円弧状外面として形成されていることを特徴とする、カートリッジ式歯科用注射器。
【請求項２】
前記プランジャーヘッドの前記プランジャーゴムと接する面を凸型球面として形成したことを特徴とする請求項１に記載のカートリッジ式歯科用注射器。
【発明の詳細な説明】
【０００１】
【発明の属する分野】
本発明は麻酔液等の注射液を充填したカートリッジを装填して注射操作を行うようになったカートリッジ式歯科用注射器に関する。
【０００２】
【従来の技術】
この種の歯科用注射器は、基本的には、円筒状本体と、本体の先端に螺着された針取付用口金と、本体の後部に固定された引きレバーと、円筒状本体のボア内にあってバネ付勢された芯出し管と、芯出し管を貫いて延び、先端にプランジャーヘッドを、後端に押しレバーを有するプランジャーと、を含む。円筒状本体は、注射液を封入したカートリッジをそのボアに差し込むための窓を備え、本体のボアの内径はカートリッジの外径よりも僅かに大きくなっている。
カートリッジは周知のように、ガラス管の先端を密封するゴム栓を保持し、中央にゴム栓の一部を露出させる円孔を有するアルミキャップを備え、且つガラス管の後端に嵌入され、カートリッジ内に封入される注射液を押し出すためのプランジャーゴムを含んでいる。カートリッジが注射器に装填されたとき、カートリッジは口金と芯出し管との間に確実に保持されるようになっている。両頭注射針を口金に装着してゴム栓側の針をゴム栓に刺してカートリッジの注射液と連絡させ、この段階で、引きレバーに指を掛け、押しレバーを手のひらで押すと、プランジャーが移動してプランジャーゴムを押し進める。歯科口腔治療においては注射時カートリッジ内の注射液を押し出すのに要する力は相当に大きくなければならないことが経験される。
【０００３】
【発明が解決しようとする課題】
このような構成の注射器にはいくつかの課題があった。その１つは、注射器の精度とも関係するが、プランジャーがプランジャーゴムを偏って押したときにカートリッジを構成するガラス管に偏った大きな応力が加わり、ガラス管が割れる事故がまれに発生することである。もう１つは、芯出し管がカートリッジの装填及び位置決めの際に引っ込められたり、バネ付勢により前進したりするとき、芯出し管と本体ボアの内面との大きな面接触により異様な摩擦音が発生し、これが手に不快感として伝わることであった。
本発明の目的は上記の欠点を悉く解消し、極めて理想的なカートリッジ式歯科用注射器を提供することにある。
【０００４】
【課題を解決するための手段】
本発明によれば、円筒状本体と、該本体の先端に螺着された針取付用口金と、本体の後端に固定された引きレバーと、円筒状本体のボア内にあってバネ付勢された芯出し管と、芯出し管を貫いて延び、先端にプランジャーヘッドを、後端に押しレバーを有するプランジャーと、を含み、円筒状本体が、注射液を封入したカートリッジをそのボアに差し込むための窓を備え、本体のボアの内径がカートリッジの外径よりも僅かに大きくなっていて、前記窓をとおして円筒状本体のボア内に装填されたカートリッジが口金と芯出し管との間に保持され、プランジャーヘッドでカートリッジのプランジャーゴムを押すようにした歯科用注射器において、前記芯出し管がプランジャーヘッドを受け入れる受け口を持ったカップを備え、カップの外円筒面が円筒状本体のボアの内面との接触を最小にするために中高円弧状外面として形成されていることを特徴とする、カートリッジ式歯科用注射器を提供する。
【０００５】
更に、本発明によれば、前記プランジャーヘッドの前記プランジャーゴムと接する面を凸型球面として形成したことを特徴とするカートリッジ式歯科用注射器を提供する。
【０００６】
【発明の実施形態】
図1及び２を参照すると、カートリッジ式歯科用注射器の全体が斜視図で示されており、注射器は、円筒状本体１と、本体の先端に螺着された針取付用口金２と、本体の後部に固定された引きレバー３と、円筒状本体１のボア４内にあってバネ付勢された芯出し管５と、芯出し管５を貫いて延び、先端にプランジャーヘッド６を、後端に押しレバー７を有するプランジャー８と、を含む。引きレバー３の円筒状本体１に対する固定は、図２に詳細に示されているように、引きレバー３のボア９の肩１０と円筒状本体１の後端面とを当接させた状態で押さえナット１１を円筒状本体１の後部内面にネジ込むことによって達成される。押さえナット１１は芯出し管５の後端を摺動自在に受け入れてこれを中心に支持するのにも役立つ。芯出し管５のバネ付勢は、芯出し管５の略中間に形成された環状バネ受け１２とナット１１の内端面との間に配置されたコイルバネ１３によって行われ、バネ付勢による芯出し管５の前方移動は、芯出し管５の先端に形成されたカップ１４がボア４の肩１５に当接することによって制限される。カップ１４はプランジャーヘッド６を受け入れる受け口１６を有し、その先端には好ましくは環状傾斜面１７が形成されている。プランジャー８を本体１に対して後方に引くと、そのヘッド６が受け口１６の環状肩１８に当接して芯出し管５をコイルバネ１３の作用に抗して引っ込めることができる。円筒状本体１は、注射液を封入したカートリッジ１９をそのボア４に差し込むための窓２０を備えている。本体のボア４の内径はカートリッジ１９の外径よりも僅かに大きくなっている。
【０００７】
図３及び４に明瞭に示されているように、カートリッジ１９は周知のように、ガラス管２１の先端を密封するゴム栓２２を保持し、中央にゴム栓２２の一部を露出させる円孔２３を有するアルミキャップ２４を備え、且つガラス管の後端に嵌入され、カートリッジ内に封入される注射液を押し出すためのプランジャーゴム２５を含んでいる。カートリッジを注射器に装填するには、注射器を斜め上に向けて、カートリッジをそのプランジャーゴム２５の方から窓２０を通して本体１のボア４に差し込む。この状態では、カートリッジの先端のアルミキャップ２４の方は窓２０の縁に引っかかって本体に対して斜めに待機する。プランジャー８及び芯出し管５を引っ込めると、それにつられて、カートリッジ１９は自重でボア４の中へ移動し、ついには窓２０を通り抜けてボア４の中へ落ち込む。プランジャー８から手を放すと、芯出し管５がコイルバネ１３の作用で前進してカップ１４の環状傾斜面１７でカートリッジのガラス管２１を押してカートリッジ１９を口金２と芯出し管５との間に確実に保持する。
【０００８】
口金２はその内部中央に、カートリッジ１９のゴム栓２２乃至アルミキャップ２４に作用するようになった球形凸部２６を備え、又、プランジャーヘッド６はその先端面にプランジャーゴム２５をその中心で押すようになった凸型球面２７を有する。
芯出し管５のカップ１４の外円筒面は本体１のボア４の内面との接触を最小にするために中高円弧状外面２８として形成されている。
先に述べたように、カートリッジ１９が注射器に装填されて口金２とバネ付勢された芯出し管５とで保持された状態で、口金２に両頭式注射針を装填して一方の針先でカートリッジのゴム栓２２を突き刺して注射液と連通させ、次いで、指を引きレバー３に掛け、押しレバー７を手のひらで強く押すと、プランジャー８がプランジャーゴム２５を押して注射液を針から放出させる。このような注射操作の初期の段階において、カートリッジに充填されている注射液がプランジャーゴム２５によって押出圧力を受けると、アルミキャップ２４が球形凸部２６に押しつけられてキャップ２４の円孔２３と同心に内向きに変形し、そのことによりカートリッジが僅かに首振り運動してボアの中心に固定されることになる。一方、注射操作中、プランジャー８のプランジャーヘッド６の僅かな凸型球形面により、プランジャーゴム２５にはその中心に圧力が加えられることになり、その結果、プランジャーゴム２５はガラス管に偏応力を加えることなく直線的に真っ直ぐ押される。加えて、芯出し管５のプランジャー８による引き戻しやコイルスプリングによる前進の際、芯出し管５は本体ボアの内面との最小な接触のため、摩擦抵抗なく円滑に摺動し、従来のような異様な摩擦音を発したり、手に伝わる不快なザラザラ感、微間欠的な摺動抵抗をもたらしたりすることがない。
【図面の簡単な説明】
【図１】本発明によるカートリッジ式歯科用注射器の斜視図である。
【図２】本発明によるカートリッジ式歯科用注射器の一部断面側面図である。
【図３】図１のＡ−Ａ線における拡大断面図である。
【図４】図２のＢ−Ｂ線における拡大断面図である。
【符号の説明】
１  円筒状本体
２  口金
３  引きレバー
４  ボア
５  芯出し管
６  プランジャーヘッド
７  押しレバー
８  プランジャー
１４  カップ
１６  受け口
１９  カートリッジ
２０  窓
２２  ゴム栓
２３  円孔
２４  アルミキャップ
２５  プランジャーゴム
２６  球形凸部
２７  凸型球面
２８  中高円弧状外面
【図１】
0004434342.tif 000002
【図２】
0004434342.tif 000003
【図３】
0004434342.tif 000004
【図４】
0004434342.tif 000005